(57)【要約】【課題】光路内包部から側方に突出する突出部周りの意匠性に優れかつ機能性の設定自由度が高い外装構造を備えたカメラを提供する。【解決手段】光路内包部から側方に突出する突出部を有するカメラにおける外装部材として、突出部の前面側に位置する前カバーと、突出部の後面側に位置する後カバーと、突出部の側面に沿って位置する側面カバーとを有し、前カバーまたは後カバーと側面カバーとの間に、突出部の外面上に露出する機能部品を設けた。【選択図】図５
2016045477.tif 000002
【特許請求の範囲】
【請求項１】
被写体光を撮像媒体の受光面に導く光路を内包する光路内包部と、上記光路内包部に対して側方に突出した突出部と有するカメラにおいて、
上記カメラの外装部材として、上記突出部の前面側に位置する前カバーと、上記突出部の後面側に位置する後カバーと、上記突出部の側面に沿って位置する側面カバーとを有し、
上記前カバーまたは上記後カバーと上記側面カバーとの間に、上記突出部の外面上に露出する機能部品を設けたことを特徴とするカメラ。
【請求項２】
上記機能部品は、上記前カバーまたは上記後カバーと上記側面カバーとの境界に沿って上記突出部の上下方向に長く延びる細長形状をなしている請求項１記載のカメラ。
【請求項３】
上記機能部品は、上記突出部内に設けた発光部で発した光をカメラ外に透過させる光透過部材である請求項１または２記載のカメラ。
【請求項４】
上記前カバーと上記後カバーはそれぞれ、上記突出部の側面で上記カメラの内部構造を構成するカメラ本体部に対して締結固定され、
上記側面カバーは、上記カメラ本体部に対する上記前カバーと上記後カバーのそれぞれの締結部を覆う形状を有しており、カメラの完成状態で外観に露出しない非露出締結手段によって上記カメラ本体部、上記前カバー及び上記後カバーの少なくとも一つに対して固定される請求項１ないし３のいずれか１項記載のカメラ。
【請求項５】
上記突出部と上記光路内包部との間の前面側に指掛け用の凹部を有し、
上記非露出締結手段は、
上記前カバーの上記指掛け用凹部形成部分に設けた、前後方向に貫通する開口部を有する前面側支持座；
上記カメラ本体部に、上記前面側支持座に対向して形成した前面側螺合部；
上記側面カバーに設けた、上記突出部内を貫通して上記前面側支持座と上記前面側螺合部の間の位置まで延設される延長締結部；
上記前面側支持座の上記開口部に対して前方から挿通され、上記前面側支持座と上記前面側螺合部の間に上記延長締結部を挟んで上記前面側螺合部に螺合される前側締結ネジ；及び
上記前側締結ネジを覆って上記前カバーに取り付けられる追加カバー；
を有している請求項４記載のカメラ。
【請求項６】
上記カメラ本体部は上記突出部の底部に開閉可能な開閉蓋を有し、上記非露出締結手段は、上記開閉蓋の開放状態で露出し上記開閉蓋を閉じた状態で非露出となる位置に設けられている請求項４または５記載のカメラ。
【請求項７】
上記非露出締結手段は、
上記前カバーと上記後カバーの少なくとも一方に設けられ、上記開閉蓋の開放状態で上記突出部の底部側に露出し上記開閉蓋を閉じた状態で非露出となる、上下方向に貫通する開口部を有する底面側支持座；
上記カメラ本体部に、上記底面側支持座に対向して形成した底面側螺合部；
上記側面カバーから突出して上記底面側支持座と重なって位置し、上下方向に貫通する開口部を有する底面側締結部；及び
上記底面側支持座と上記底面側締結部の上記開口部に対して下方から挿通されて上記底面側側螺合部に螺合され、上記底面側支持座と上記底面側締結部を上記カメラ本体部に締結させる底面側締結ネジ；
を有する請求項６記載のカメラ。
【発明の詳細な説明】
【技術分野】
【０００１】
本発明は、カメラに関し、特にカメラの外面を構成する外装部品の構造に関する。
【背景技術】
【０００２】
一眼レフカメラでは、外面を構成する外装部品として、カメラボディの前面側を覆う前カバーと、後面側を覆う後カバーと、カメラの上部（軍艦部）を全体的に覆う上カバーとを備える場合が多い。近年では撮像用の媒体が銀塩フィルムから撮像素子に変わり、撮像素子を用いるデジタルカメラでは、フィルムカメラのようにフィルムを挿脱させるための裏蓋をカメラ後面側に設ける必要がないという相違があるが、デジタル一眼レフカメラにおける基本的な外装部品のレイアウトは、既存のフィルムカメラを踏襲したものになっていた。
【０００３】
一眼レフカメラの多くは、撮影及び被写体観察用の光路を有する光路内包部から両側に向けて突出部を突出させた基本形状を有する。この形状は、光路内包部の両側にフィルムの送り出し部と巻き上げ部を配したフィルム一眼レフカメラに基づくものであるが、フィルム給送の必要がないデジタル一眼レフカメラにおいても、光路内包部の側方に突出部を設けることが把持性や操作性などの点で合理的であることから、上記の基本形状が維持されている。両側の突出部のうち一方は、手で握りこんで把持することを意図したグリップ形状にされており、このグリップ形状を有する突出部はグリップ部などと呼ばれる。現行のほとんどの一眼レフカメラは、グリップ部を右手で把持するように設計されている。
【０００４】
従来の一眼レフカメラでは、前カバーと後カバーが突出部の側部まで回りこんでカバーしており、突出部周りの外観構造にはデザインや機能面での制約があった。オートフォーカス用の補助光の投光部やリモコン光の受光部程度の小型の窓をカメラ前面や後面に形成したり、メモリカードスロットやケーブルコネクタ用の開口をカメラ側面に形成したりする程度の加工を前カバーや後カバーに施すことは従来から行われている。しかし、より大胆な形で突出部周りの意匠性や機能性を高めることは、既存の外装構造では難しかった。
【先行技術文献】
【特許文献】
【０００５】
【特許文献１】特開平２-３０９３４２号公報
【発明の概要】
【発明が解決しようとする課題】
【０００６】
本発明は、光路内包部から側方に突出する突出部周りの意匠性や機能性の自由度が高い外装構造を備えたカメラを提供することを目的とする。
【課題を解決するための手段】
【０００７】
本発明は、被写体光を撮像媒体の受光面に導く光路を内包する光路内包部と、光路内包部から側方に突出する突出部と有するカメラにおける外装部材として、突出部の前面側に位置する前カバーと、突出部の後面側に位置する後カバーと、突出部の側面に沿って位置する側面カバーとを有し、前カバーまたは後カバーと側面カバーとの間に、突出部の外面上に露出する機能部品を設けたことを特徴としている。
【０００８】
機能部品は、前カバーまたは後カバーと側面カバーとの境界に沿って突出部の上下方向に長く延びる細長形状とすることが好ましい。機能部品の具体的な適用例としては、突出部内に設けた発光部で発した光をカメラ外に透過させる光透過部材などが好適である。
【０００９】
突出部の側面で、カメラの内部構造を構成するカメラ本体部に対して前カバーと後カバーをそれぞれ締結固定させ、前カバーと後カバーのこれらの締結部を覆う形状を側面カバーに持たせた上で、カメラの完成状態で外観に露出しない非露出締結手段によって側面カバーをカメラ本体部、前カバー及び後カバーの少なくとも一つに対して固定させることが好ましい。
【００１０】
突出部と光路内包部との間の前面側に指掛け用の凹部を形成している形態のカメラでは、非露出締結手段を次のように構成することが好ましい。前カバーの指掛け用凹部形成部分に、前後方向に貫通する開口部を有する前面側支持座を形成し、カメラ本体部に、前面側支持座に対向する前面側螺合部を形成する。側面カバーには、突出部内を貫通して前面側支持座と前面側螺合部の間の位置まで延設される延長締結部を設ける。前面側支持座の開口部に対して前方から前側締結ネジを挿通させ、前面側支持座と前面側螺合部の間に延長締結部を挟んだ状態で前側締結ネジを前面側螺合部に螺合させる。そして、前側締結ネジを覆う追加カバーを前カバーに取り付ける。
【００１１】
カメラ本体部が突出部の底部に開閉可能な開閉蓋を有する形態のカメラでは、開閉蓋の開放状態で露出し開閉蓋を閉じた状態で非露出となる位置に非露出締結手段を設けてもよい。その具体的な構成として、開閉蓋の開放状態で突出部の底部側に露出し開閉蓋を閉じた状態で非露出となる、上下方向に貫通する開口部を有する底面側支持座を前カバーと後カバーの少なくとも一方に形成する。カメラ本体部に、底面側支持座に対向する底面側螺合部を形成する。側面カバーから突出して底面側支持座と重なって位置し、上下方向に貫通する開口部を有する底面側締結部を設ける。底面側支持座と底面側締結部の開口部に対して下方から挿通させた底面側締結ネジを底面側螺合部に螺合させ、底面側締結ネジを介して底面側支持座と底面側締結部をカメラ本体部に締結させる。この底面側締結ネジによる締結固定部分は、閉じた状態の開閉蓋によって覆われる。
【発明の効果】
【００１２】
以上の本発明によれば、光路内包部の側方に突出する突出部周りの意匠性に優れかつ機能性の設定自由度が高い外装構造を備えたカメラを得ることができる。
【図面の簡単な説明】
【００１３】
【図１】本発明を適用した一眼レフカメラの前方斜視図である。
【図２】一眼レフカメラの後方斜視図である。
【図３】一眼レフカメラのカメラ本体ブロックから外装部品を外した状態を示す分解斜視図である。
【図４】一眼レフカメラから上カバーを外した状態を示す前方斜視図である。
【図５】一眼レフカメラから側面カバーとグリップカバーを外した状態を示す前方斜視図である。
【図６】一眼レフカメラから側面カバーとグリップカバーを外した状態を図５とは異なる角度から見た前方斜視図である。
【図７】一眼レフカメラのグリップ部の一部を透視して示した前方斜視図である。
【図８】図７のVIII-VIII線に沿って断面視した一眼レフカメラの断面図である。
【図９】電池室蓋を開いた状態の一眼レフカメラを底面側から見た図である。
【図１０】電池室蓋を開くと共に側面カバーを外した状態の一眼レフカメラを底面側から見た図である。
【発明を実施するための形態】
【００１４】
図１及び図２に外観を示す一眼レフカメラ（以下、単にカメラと呼ぶ）１０は、被写体からの光束をイメージセンサ（撮像媒体）７０（図８）の受光面とファインダ光学系とに選択的に導くことが可能な撮影及び観察用の光路を形成する光路内包部１１と、光路内包部１１の両側に突出する第１突出部１２と第２突出部１３を有する。以下のカメラ１０についての説明では、光路内包部１１に対して第１突出部１２が突出する方向を右方、光路内包部１１に対して第２突出部１３が突出する方向を左方と定義する。また、被写体側を前方、被写体と反対側を後方と定義する。第１突出部１２は第２突出部１３よりも側方への突出量が大きく、第１突出部１２の先端には把持用のグリップ部１４が設けられている。グリップ部１４は第１突出部１２の中で前方への突出量を大きくした部分であり、光路内包部１１とグリップ部１４の間の前面部分に指掛け凹部１５が形成されている。
【００１５】
光路内包部１１の前面側にはマウント部１６が設けられ、マウント部１６に対して図示しない交換レンズを着脱可能である。光路内包部１１内にはマウント部１６の後方にクイックリターンミラー１７が軸支されている。図３や図４に示すように、クイックリターンミラー１７の上方にはファインダ光学系を構成するペンタダハプリズム１８が支持される。クイックリターンミラー１７は左右方向に軸線を向けた支持軸を中心として揺動可能であり、クイックリターンミラー１７が各図に示すミラーダウン位置にある状態では、交換レンズを通して入射した被写体光をクイックリターンミラー１７で反射してペンタダハプリズム１８に導き、ペンタダハプリズム１８によって正立像とされた被写体像を、光路内包部１１の後面上部に設けたファインダ窓１９（図２）を通して光学的に観察することができる。撮影を行うときには、クイックリターンミラー１７を跳ね上げると共にクイックリターンミラー１７後方のフォーカルプレーンシャッタを開いて、イメージセンサ７０の受光面上に被写体光を入射させて露光動作を実行する。
【００１６】
光路内包部１１の上面部分には格納タイプの内蔵フラッシュ２０が設けられる。内蔵フラッシュ２０は、各図に示す格納位置と、上方に向けて突出する突出位置（不図示）とに動作可能であり、突出位置に向けて付勢され、ロック機構によって格納位置に保持される。ポップアップボタン２１を押し込むことでロックが解除されて内蔵フラッシュ２０が上方に突出する。
【００１７】
第１突出部１２のうち、グリップ部１４の前面にはリモコン受光窓２２とイルミネーション窓２３が設けられ、指掛け凹部１５の前面にはＡＦ補助光窓２４が設けられている。リモコン受光窓２２は、外部からのリモコン光をグリップ部１４内に設けたリモコン受光部６０（図３、図７）へ透過させる光透過部材である。イルミネーション窓２３は、グリップ部１４内に設けた複数のイルミネーションＬＥＤ６１（図３、図７）が発した光を外部から視認させる縦長の光透過部材である。図７に示すように、複数のイルミネーションＬＥＤ６１は、上下方向に所定の間隔を空けて配設されており、イルミネーション窓２３の全域を照明することができる。各イルミネーションＬＥＤ６１は、カメラ１０の電源投入時やその他の操作を行ったときに発光され、ユーザーにカメラの状態を報知する機能を有する。イルミネーションＬＥＤ６１が発する色や発光態様を変化させることで、報知する情報を変化させることも可能である。ＡＦ補助光窓２４は、暗所で自動合焦（オートフォーカス）動作を行う際の補助光を被写体に向けて投光する部位であり、ＡＦ補助光窓２４の内側に補助光発光部６２（図３）が設けられている。
【００１８】
カメラ１０の背面には、ファインダ窓１９の下方に位置する背面表示パネル２５（図２、図８）が設けられている。背面表示パネル２５は、カメラ１０に関する各種情報表示や撮影した画像の表示に用いられる表示器であり、ＬＣＤパネルなどで構成される。第１突出部１２と第２突出部１３のそれぞれの側面上部には、ストラップを挿通させるためのストラップ環２６が設けられる。図８ないし図１０に示すように、グリップ部１４内には、カメラ１０の電源となるバッテリを収納する電池室２７と、画像データの記録媒体となるメモリカードを挿入させるカードスロット２８が形成されている。図９と図１０に示すように、電池室２７とカードスロット２８はカメラ１０の底面側に開口しており、このグリップ部１４の底面開口を開閉可能な電池室蓋（開閉蓋）２９が設けられている。
【００１９】
第１突出部１２の上面には、グリップ部１４上に位置させてレリーズボタン３０と電源スイッチ３１が設けられる。レリーズボタン３０は押圧操作によって露光動作を行わせる操作部材であり、半押し操作による合焦制御や露出制御なども担当する。電源スイッチ３１はレリーズボタン３０の周囲に配した回転スイッチであり、カメラ１０の電源のオンオフを操作する。さらに第１突出部１２の上面側には回転操作ダイヤル３２が設けられる。回転操作ダイヤル３２は、撮影モードに応じた設定値（シャッタスピード、絞り値など）の選択や、その他の各種選択用の操作部材として用いられる。
【００２０】
図２に示すように、第１突出部１２の後面側には、背面表示パネル２５の側方に位置する複合操作部３３が設けられる。複合操作部３３は、中央に位置する中央ボタン３３ａの周囲に４つの方向キー３３ｂを配し、方向キー３３ｂの外側に回転可能なモードダイヤル３３ｃを配した構成である。モードダイヤル３３ｃは撮影モードの選択に用いられる。方向キー３３ｂは感度、フラッシュ、ホワイトバランス、セルフタイマなどの設定入力や、その他の各種選択用（例えば、背面表示パネル２５に示した画像の表示切り替え、オートフォーカスのエリア選択）の操作部材として用いられる。中央ボタン３３ａは選択した内容を確定させるＯＫボタンとして用いられる。
【００２１】
カメラ１０はさらに、第１突出部１２の上面に複数の押しボタン３４を備え、光路内包部１１と第１突出部１２と第２突出部１３にかけての後面に複数の押しボタン３５を備えている。詳細な機能分担の説明は省略するが、これらの押しボタン３４、３５には、カメラ１０の機能メニュー表示、露出補正、記録画像再生、記録画像消去、ライブビューモードへの切り替えなどを操作する機能が適宜割り振られている。
【００２２】
図３に示すように、カメラ１０は、カメラ本体ブロック（カメラ本体部）４０の外側に複数の外装部品を組み付けて構成されている。カメラ本体ブロック４０は、光路内包部１１と第１突出部１２と第２突出部１３に亘るカメラ１０の基本構造を構成するものであり、クイックリターンミラー１７を内部に軸支するミラーボックスを含む本体パーツに対して光学系の各種部品（ペンタダハプリズム１８などのファインダ光学系）や電装系の各種部品（メイン基板など）を支持させている。カメラ本体ブロック４０のうちグリップ部１４の前面側には、メイン基板とは別体のサブ基板６３が固定されており、リモコン受光部６０とイルミネーションＬＥＤ６１はサブ基板６３上に配されている。図８に示すように、カメラ本体ブロック４０には、サブ基板６３と電池室２７との間の前後方向位置に、左右方向へ貫通するグリップ内部空間４０ａが形成されている。
【００２３】
詳細な説明は省略するが、クイックリターンミラー１７を駆動させるミラー駆動機構や、フォーカルプレーンシャッタの駆動に関わるシャッタ駆動機構もカメラ本体ブロック４０に支持されている。電池室２７とカードスロット２８はカメラ本体ブロック４０内に形成されている。電池室蓋２９は、カメラ本体ブロック４０に対してヒンジ機構を介して開閉可能に接続されている。図３、図５ないし図７、図９及び図１０は電池室蓋２９を開いた状態を示している。
【００２４】
カメラ１０の外装部品は、前カバー４１、後カバー４２、上カバー４３、側面カバー４４、グリップカバー（追加カバー）４５によって構成される。前カバー４１、後カバー４２、上カバー４３及び側面カバー４４は、エンジニアリングプラスチックや金属などの強度的に優れた材質で構成される。グリップカバー４５はグリップ部１４を把持した際のグリップ性を高めるべく、摩擦係数の高いゴムなどの材質で構成される。
【００２５】
前カバー４１は、マウント部１６を露出させるための開口部を除いてカメラ本体ブロック４０の前面をほぼ全体的に覆う前面部４１ａを有し、前面部４１ａから光軸方向後方に向けて、第１上面フランジ４１ｂ、第２上面フランジ４１ｃ、左側面フランジ４１ｄ、右側面フランジ４１ｅ、下面フランジ４１ｆを突出させている。前カバー４１のうち前面部４１ａの右側縁部に沿ってイルミネーション窓２３が固定される。イルミネーション窓２３は前カバー４１とは別体として形成され、接着などで前カバー４１に固定される。第１上面フランジ４１ｂのうち前面部４１ａ寄りの部分にレリーズボタン３０と電源スイッチ３１が支持され、その後方に複数の押しボタン３４が支持されている。
【００２６】
後カバー４２は、背面表示パネル２５や複合操作部３３を露出させるための開口部を除いてカメラ本体ブロック４０の後面を覆う後面部４２ａを有し、後面部４２ａから光軸方向前方に向けて、第１上面フランジ４２ｂ、第２上面フランジ４２ｃ、左側面フランジ４２ｄ、右側面フランジ４２ｅ、下面フランジ４２ｆを突出させている。後面部４２ａには複数の押しボタン３５が支持され、第１上面フランジ４２ｂには回転操作ダイヤル３２が支持されている。
【００２７】
前カバー４１と後カバー４２は、前面部４１ａによってカメラ本体ブロック４０の前面を覆い、後面部４２ａによってカメラ本体ブロック４０の後面を覆う形で、カメラ本体ブロック４０を前後から挟んで組み付けられる。この組み付け状態では、第１上面フランジ４１ｂと第１上面フランジ４２ｂが前後に組み合わされて、グリップ部１４を含む第１突出部１２の上面部分の外観を形成する。また、第２上面フランジ４１ｃと第２上面フランジ４２ｃが前後に組み合わされて第２突出部１３の上面部分の外観を形成し、左側面フランジ４１ｄと左側面フランジ４２ｄが前後に組み合わされて第２突出部１３の側面部分（カメラ１０の左側面）の外観を形成する。さらに、下面フランジ４１ｆと下面フランジ４２ｆが前後に組み合わされて、光路内包部１１と第１突出部１２と第２突出部１３に亘るカメラ１０の底面部分の外観を形成する。下面フランジ４１ｆと下面フランジ４２ｆにはそれぞれ、閉じた状態の電池室蓋２９によって塞がれる形状の底面切り欠き４１ｇ、４２ｇが形成されており（図３、図５、図９及び図１０参照）、閉じた状態の電池室蓋２９は、下面フランジ４１ｆ及び下面フランジ４２ｆと略面一になる。図５に示すように、グリップ部１４（第１突出部１２）の側面（カメラ１０の右側面）部分では、右側面フランジ４１ｅと右側面フランジ４２ｅがカメラ本体ブロック４０の全体を覆う構造になっておらず、前カバー４１と後カバー４２を組み付けた段階では内部構造が露出している。
【００２８】
前カバー４１と後カバー４２はカメラ本体ブロック４０に対して複数箇所のネジ留めで固定される。図３や図５に示すように、グリップ部１４（第１突出部１２）の側面部分では、前カバー４１の右側面フランジ４１ｅがカメラ本体ブロック４０に対して一対のネジ（カメラ本体部に対する前カバーの締結部）５０によって締結固定され、後カバー４２の右側面フランジ４２ｅがカメラ本体ブロック４０に対して一対のネジ（カメラ本体部に対する後カバーの締結部）５１によって締結固定される。図３に示すように、カメラ本体ブロック４０の右側面には、一対のネジ５０が螺合する上下一対のネジ螺合部４０ｂと、一対のネジ５１が螺合する上下一対のネジ螺合部４０ｃが形成されている。右側面フランジ４１ｅの後端部に、ネジ５０を挿通させる穴（開口部）が形成された上下一対のネジ留め座４１ｈが形成されており、各ネジ留め座４１ｈの穴に挿通したネジ５０をネジ螺合部４０ｂに螺合させて前カバー４１を固定する。右側面フランジ４２ｅの前端部に、ネジ５１を挿通させる穴（開口部）が形成された上下一対のネジ留め座４２ｈが形成されており、各ネジ留め座４２ｈの穴に挿通したネジ５１をネジ螺合部４０ｃに螺合させて後カバー４２を固定する。
【００２９】
図１、図２、図４、図６ないし図８に示すように、第２突出部１３の側面部分は、前カバー４１の左側面フランジ４１ｄと後カバー４２の左側面フランジ４２ｄがカメラ本体ブロック４０に対して一対のネジ５２によってまとめて締結固定される。後カバー４２の左側面フランジ４２ｄには、前方に向けて突出する一対のネジ留め座４２ｉ（図３、図８）が上下方向に位置を異ならせて突設されている。各ネジ留め座４２ｉにはネジ５２を挿通させる穴（開口部）が形成されており、前カバー４１の左側面フランジ４１ｄにもこれに対応する位置に上下一対の穴（開口部）が形成されている。図８に示すように、前カバー４１の左側面フランジ４１ｄの内側に重なるように各ネジ留め座４２ｉを挿入し、左側面フランジ４１ｄとネジ留め座４２ｉのそれぞれの穴に対してネジ５２を挿入し、カメラ本体ブロック４０に形成したネジ螺合部４０ｄにネジ５２を螺合させて前カバー４１と後カバー４２を固定する。
【００３０】
前カバー４１の下面フランジ４１ｆは複数のネジ５３（図３、図９及び図１０）によってカメラ本体ブロック４０に対して固定され、下面フランジ４２ｆは複数のネジ５４（図３、図９及び図１０）によってカメラ本体ブロック４０に対して固定される。
【００３１】
以上のようにして前カバー４１をカメラ本体ブロック４０の外側に取り付けた状態では、リモコン受光窓２２がリモコン受光部６０の前方に位置し、イルミネーション窓２３が複数のイルミネーションＬＥＤ６１の前方に位置し、ＡＦ補助光窓２４が補助光発光部６２の前方に位置する。
【００３２】
図３や図４に示すように、前カバー４１は、第１上面フランジ４１ｂと第２上面フランジ４１ｃの間に、上面部分が存在しない上面切り欠き部４１ｉを有する。後カバー４２も同様に、第１上面フランジ４２ｂと第２上面フランジ４２ｃの間に、上面部分が存在しない上面切り欠き部４２ｊを有する。カメラ本体ブロック４０に対して前カバー４１と後カバー４２を組み付けた状態では、上面切り欠き部４１ｉと上面切り欠き部４２ｊに囲まれる領域で、光路内包部１１の内部構造が露出している（図４参照）。また前述のように、グリップ部１４（第１突出部１２）の側面部分でも、前カバー４１と後カバー４２によって完全には覆われることなく内部構造が露出している（図５参照）。前者の光路内包部１１の上面の露出部分については、上カバー４３が組み付けられて外観を形成し、後者のグリップ部１４の側面の露出部分については、側面カバー４４が組み付けられて外観を形成する。図６に示すように、前カバー４１の前面部４１ａには、グリップ部１４において側面カバー４４で覆われる側と反対側（指掛け凹部１５側）の側部に、上下方向に長い凹部４１ｊが形成されており、凹部４１ｊがグリップカバー４５で覆われる。
【００３３】
側面カバー４４の組み付け構造について説明する。図３や図５に示すように、前カバー４１には前面部４１ａと右側面フランジ４１ｅの境界部に周縁段部４１ｋが形成されており、イルミネーション窓２３には周縁段部４１ｋに連続する周縁段部２３ａが形成されている。周縁段部２３ａの後方には、右側面フランジ４１ｅを左右方向に貫通する貫通穴４１ｍが形成されている。第１上面フランジ４１ｂのうち周縁段部４１ｋの後方には、下向きに開口するネジ穴を有するネジ螺合部４１ｎが形成される。右側面フランジ４１ｅと下面フランジ４１ｆの境界部には、上下方向へ貫通する穴（開口部）を有するネジ留め座（底面側支持座）４１ｐが形成されている。カメラ本体ブロック４０には、ネジ留め座４１ｐの上方に位置して下向きに開口するネジ穴を有するネジ螺合部（底面側螺合部）４０ｅ（図３、図９及び図１０）が形成されている。ネジ留め座４１ｐは、下面フランジ４１ｆの下面（カメラ１０の底面）に対して上方にオフセットした位置に形成されており、電池室蓋２９を開いた状態ではネジ留め座４１ｐ（とその奥のネジ螺合部４０ｅのネジ穴）がカメラ１０の底面側からアクセス可能に露出し、電池室蓋２９を閉じるとネジ留め座４１ｐが電池室蓋２９によって覆われて外観に表れなくなる。
【００３４】
図６に示すように、前カバー４１の凹部４１ｊには、前後方向に貫通する穴（開口部）を有する上下一対のネジ留め座（前面側支持座）４１ｑが形成されている。ネジ留め座４１ｑは、凹部４１ｊに対してさらに後方に向けて凹む段差形状をなし、その後端部は平面状に形成されている。カメラ本体ブロック４０の前面には、各ネジ留め座４１ｑの後方に位置して前向きに開口するネジ穴を有する一対のネジ螺合部（前面側螺合部）４０ｆ（図７、図８）が形成されている。
【００３５】
後カバー４２の右側面フランジ４２ｅには凹部４２ｋが形成され、凹部４２ｋの一部に切り欠き４２ｍが形成されている。カメラ本体ブロック４０には切り欠き４２ｍの内側に位置するネジ螺合部４０ｇが形成されている（図３、図５）。後カバー４２にはさらに、第１上面フランジ４２ｂと右側面フランジ４２ｅの境界部に嵌合部４２ｎが形成され、右側面フランジ４２ｅと下面フランジ４２ｆの境界部に、上下方向に貫通する穴（開口部）を有するネジ留め座（底面側支持座）４２ｐが形成される（図３、図５、図１０）。カメラ本体ブロック４０には、ネジ留め座４２ｐの上方に位置して下向きに開口するネジ穴を有するネジ螺合部（底面側螺合部）４０ｈ（図１０）が形成されている。ネジ留め座４２ｐは、下面フランジ４２ｆの下面（カメラ１０の底面）に対して上方にオフセットした位置に形成されており、電池室蓋２９を開いた状態ではネジ留め座４２ｐ（とその奥のネジ螺合部４０ｈのネジ穴）がカメラ１０の底面側からアクセス可能に露出し、電池室蓋２９を閉じるとネジ留め座４２ｐが電池室蓋２９によって覆われて外観に表れなくなる。
【００３６】
側面カバー４４は、カメラ本体ブロック４０の右側面を覆う側板部４４ａの周縁にリブ４４ｂを有し、側板部４４ａの内面側に上下一対の固定アーム（延長締結部）４６が固定されている。各固定アーム４６は側面カバー４４とは別体として形成されており、ネジ５５によって側面カバー４４の内面側に固定されている。側面カバー４４の内面には、左方に向けて開口するネジ穴を有する上下一対のネジ螺合部４４ｃ（図６、図８）が形成されており、固定アーム４６の基端部をネジ螺合部４４ｃの端部に当て付けた状態でネジ螺合部４４ｃにネジ５５を螺合させることで、固定アーム４６が側面カバー４４の側板部４４ａに対して固定される。固定アーム４６は、側板部４４ａへ固定される基端部に対して略直交する方向（カメラ１０の左右方向）へ長く突出された長板状の延長部を有するＬ字形状をなしており、延長部の先端に前後方向に貫通するネジ挿通穴４６ａを有している。固定アーム４６の材質は任意のものを選択可能であるが、強度確保の観点から金属製とすることが好ましい。
【００３７】
図６に示すように、側面カバー４４の側板部４４ａの上縁付近と下縁付近にはそれぞれ、上下方向に貫通する穴（開口部）を有するネジ留め座４４ｄ、４４ｅが突出形成される。側板部４４ａの後端部には左右方向に貫通する穴（開口部）を有するネジ留め座４４ｆが突出形成される。側板部４４ａの後端部にはさらに、上端付近と下端付近に、側板部４４ａに対して屈曲された嵌合部４４ｇと嵌合部４４ｈが形成されている。嵌合部４４ｈに対して、図９と図１０に示すネジ留め座（底面側締結部）６５が嵌合される。ネジ留め座６５は、嵌合部４４ｈとの嵌合部分から突出して後カバー４２のネジ留め座４２ｐに対して下方から当接する板状部を有しており、このネジ留め座６５の板状部に上下方向に貫通する穴（開口部）が形成されている。
【００３８】
カメラ本体ブロック４０に対して前カバー４１と後カバー４２を先に組み付け、続いて側面カバー４４を組み付ける。リブ４４ｂが周縁段部２３ａと周縁段部４１ｋに嵌合し、ネジ留め座４４ｄがネジ螺合部４１ｎの下面に重なって位置し、ネジ留め座４４ｅがネジ留め座４１ｐの上面に重なって位置し、ネジ留め座４４ｆがネジ螺合部４０ｇの右方に重なって位置する。また、側面カバー４４の組み付けに際しては一対の固定アーム４６を前カバー４１の貫通穴４１ｍに挿入する。貫通穴４１ｍはグリップ内部空間４０ａに連通しており、各固定アーム４６は貫通穴４１ｍとグリップ内部空間４０ａを通してグリップ部１４を左右方向に貫く（図８参照）。各固定アーム４６の先端付近がネジ留め座４１ｑの後面とネジ螺合部４０ｆの前面の間に挟まれ、ネジ挿通穴４６ａがネジ留め座４１ｑの貫通穴と連通する。このようにして前カバー４１に対する側面カバー４４の位置が定まる。また、ネジ留め座４４ｆが切り欠き４２ｍに嵌合し、嵌合部４４ｇが嵌合部４２ｎに嵌合し、嵌合部４４ｈがネジ螺合部４０ｈとネジ留め座４２ｐに対して前方から当接して、後カバー４２に対する側面カバー４４の位置が定まる。
【００３９】
以上のようにして位置が定まった側面カバー４４を複数箇所のネジ止めで固定する。一対のネジ留め座４１ｑの貫通穴に対してネジ５６を前方から挿入して、ネジ挿通穴４６ａを通してネジ螺合部４０ｆのネジ穴に螺合させる。図８に示すように、ネジ留め座４１ｑとネジ螺合部４０ｆの間には固定アーム４６が挟まれており、ネジ５６を締め付けることでカメラ本体ブロック４０と前カバー４１の間に固定アーム４６が挟持され、固定アーム４６を支持する側面カバー４４が固定される。
【００４０】
また、ネジ留め座４４ｄの貫通穴に対してネジ５７（図６、図９及び図１０）を下方から挿入してネジ螺合部４１ｎのネジ穴に螺合させる。図５に示すように、ネジ螺合部４１ｎの下方（ネジ留め座４４ｄが挿入される位置の下方）には、カメラ本体ブロック４０から突出する片側（右側）のストラップ環２６の基部が位置しており、このストラップ環２６の基部にはネジ留め座４４ｄの貫通穴と重なる上下方向への貫通穴が形成されている。ネジ５７は、ネジ留め座４４ｄの貫通穴と共にストラップ環２６の基部の貫通穴にも挿通されて、ネジ留め座４４ｄとストラップ環２６の基部を前カバー４１（ネジ螺合部４１ｎ）に締結させる。図９と図１０に示すように、電池室２７の天井部には、ネジ５７を挿入させるための内部開口２７ａが形成されており、電池室蓋２９を開いた状態で内部開口２７ａを通してネジ５７の組み付けを行うことができる。
【００４１】
また、ネジ留め座４１ｐとネジ留め座４４ｅの貫通穴に対してネジ（底面側締結ネジ）５８（図６、図９及び図１０）を下方から挿入してネジ螺合部４０ｅのネジ穴に螺合させる。また、嵌合部４４ｈに嵌合させたネジ留め座６５の板状部を、ネジ留め座４２ｐに対して下方から当接させ、ネジ留め座６５とネジ留め座４２ｐの貫通穴に対してネジ（底面側締結ネジ）６６（図９、図１０）を下方から挿入してネジ螺合部４０ｈのネジ穴に螺合させる。図９と図１０に示すように、ネジ５８とネジ６６の取り付け作業は、電池室蓋２９を開いた状態で行うことができる。さらに、ネジ留め座４４ｆの貫通穴に対してネジ５９を右方から挿入してネジ螺合部４０ｇのネジ穴に螺合させる。
【００４２】
このように、前後方向に軸線が向くネジ５６と、上下方向に軸線が向くネジ５７、ネジ５８及びネジ６６と、左右方向に軸線が向くネジ５９によって、側面カバー４４がカメラ本体ブロック４０と前カバー４１と後カバー４２の結合体に対して強固に固定される。
【００４３】
側面カバー４４を取り付けた後、前カバー４１の凹部４１ｊにグリップカバー４５を取り付ける。グリップカバー４５は接着などの手法で前カバー４１に固定される。凹部４１ｊ内に位置するネジ５６をグリップカバー４５が覆うことにより、固定アーム４６とネジ５６を介した側面カバー４４の固定箇所が外観に露出しない状態になる。また、ネジ５７、ネジ５８及びネジ６６による側面カバー４４の固定箇所は、電池室蓋２９を閉じることにより外観に露出しなくなる。これに加えて、ネジ５７による側面カバー４４の固定箇所は電池室２７の最奥部にあるので、電池室２７内に挿入したバッテリによっても覆われる。
【００４４】
さらに、図８に示すように、後カバー４２の凹部４２ｋを覆うコネクタカバー４７が取り付けられる。カメラ本体ブロック４０の右側部には外部機器との接続に用いる複数のケーブルコネクタ６４（図３、図５）が設けられており、ケーブルコネクタ６４を露出させるための開口が凹部４２ｋ内に形成されている。コネクタカバー４７を取り付けると、ケーブルコネクタ６４と共に、ネジ５９による側面カバー４４の固定箇所が覆われる。コネクタカバー４７は着脱（開閉）可能であり、ケーブルコネクタ６４の使用時にはコネクタカバー４７を取り外す。
【００４５】
以上のように、グリップ部１４の側面部分（カメラ１０の右側面）では、カメラ本体ブロック４０に対する前カバー４１と後カバー４２の固定箇所（ネジ５０、５１）を側面カバー４４によって覆い、側面カバー４４の固定箇所（ネジ５６、５７、５８、５９、６６）もカメラ１０の完成状態で外観に表れない非露出締結手段として構成されている。そのため、グリップ部１４周りでは外装部品を固定するネジ類が外観上に露出せず、デザイン的に優れた外装構造となる。
【００４６】
グリップ部１４には、発光表示を行う機能部品として、前面部分を上下方向に縦断する縦長のイルミネーション窓２３が設けられている。前カバー４１と側面カバー４４を別体にしてその間にイルミネーション窓２３を挟む構造にすることで、イルミネーション窓２３のような大型の機能部品をカメラ１０の外観上に無理なく配置することができる。例えば、本実施形態と異なり前カバー４１と側面カバー４４を一体構造の部品にすると、イルミネーション窓２３を取り付けるための縦長の大型開口をカバー部材に貫通形成する必要があり、カバー部材の強度確保や生産性の点で不利になる。これに対して本実施形態では、前カバー４１と側面カバー４４のそれぞれが強度的に優れると共に高精度に製造しやすくなっている。
【００４７】
図８から分かるように、イルミネーション窓２３を挟む前カバー４１と側面カバー４４の境界部分を左右方向に跨ぐように一対の固定アーム４６が延設されており、イルミネーション窓２３とは異なる位置で各固定アーム４６を介して前カバー４１と側面カバー４４を橋絡しているので、前カバー４１と側面カバー４４を強固に結合させることができる。また、図８に示すように、各固定アーム４６は、サブ基板６３と電池室２７の間に形成したグリップ内部空間４０ａを通してグリップ部１４内を左右方向に貫通しており、イルミネーションＬＥＤ６１とイルミネーション窓２３の間の光路を固定アーム４６が遮ることがない。すなわち、グリップ部１４内の機能部品と干渉させずに固定アーム４６を長く延設させ、側板部４４ａから離れた位置（指掛け凹部１５に臨む位置）でネジ５６による固定を行うことにより、側面カバー４４の支持強度を効果的に高めることができる。
【００４８】
以上、図示実施形態に基づいて本発明を説明したが、本発明はこの実施形態に限定されるものではない。例えば、図示実施形態では、グリップ部１４の前面側に発光表示用の機能部品としてイルミネーション窓２３を配しているが、機能部品の配置や機能が異なるカメラにも適用が可能である。配置に関しては、前カバー４１と側面カバー４４の間ではなく、後カバー４２と側面カバー４４の間にイルミネーション窓２３のような機能部品を設けてもよい。機能に関しては、イルミネーション窓２３とは異なる役割の部品を用いることも可能である。具体的には、イルミネーション窓２３以外にも、リモコン光やＡＦ補助光や照明光（動画撮影時などの照明として用いる）のような別種の光を透過させる窓部、内蔵スピーカーや内蔵マイクのための音声用開口部、無線通信部、放熱部、センサ（例えば、グリップ部１４を握ったことを検知してカメラ１０の電源オンやスリープ解除を行わせる赤外線センサ)、ストラップなどのアクセサリ取付部、メモリカード類を挿脱させるカードスロット、などの機能部品に関して本発明を適用することができる。
【符号の説明】
【００４９】
１０  一眼レフカメラ
１１  光路内包部
１２  第１突出部
１３  第２突出部
１４  グリップ部
１５  指掛け凹部
１６  マウント部
１７  クイックリターンミラー
１８  ペンタダハプリズム
１９  ファインダ窓
２０  内蔵フラッシュ
２１  ポップアップボタン
２２  リモコン受光窓
２３  イルミネーション窓（グリップ外面の機能部品）
２３ａ  周縁段部
２４  ＡＦ補助光窓
２５  背面表示パネル
２６  ストラップ環
２７  電池室
２７ａ  内部開口
２８  カードスロット
２９  電池室蓋（開閉蓋）
３０  レリーズボタン
３１  電源スイッチ
３２  回転操作ダイヤル
３３  複合操作部
３３ａ  中央ボタン
３３ｂ  方向キー
３３ｃ  モードダイヤル
３４  ３５  押しボタン
４０  カメラ本体ブロック（カメラ本体部）
４０ａ  グリップ内部空間
４０ｂ  ４０ｃ  ４０ｄ  ４０ｇ  ネジ螺合部
４０ｅ  ４０ｈ  ネジ螺合部（底面側螺合部）
４０ｆ  ネジ螺合部（前面側螺合部）
４１  前カバー
４１ａ  前面部
４１ｂ  第１上面フランジ
４１ｃ  第２上面フランジ
４１ｄ  左側面フランジ
４１ｅ  右側面フランジ
４１ｆ  下面フランジ
４１ｇ  底面切り欠き
４１ｈ  ４１ｎ  ネジ留め座
４１ｉ  上面切り欠き部
４１ｊ  凹部
４１ｋ  周縁段部
４１ｍ  貫通穴
４１ｐ  ネジ留め座（底面側支持座）
４１ｑ  ネジ留め座（前面側支持座）
４２  後カバー
４２ａ  後面部
４２ｂ  第１上面フランジ
４２ｃ  第２上面フランジ
４２ｄ  左側面フランジ
４２ｅ  右側面フランジ
４２ｆ  下面フランジ
４２ｇ  底面切り欠き
４２ｍ  切り欠き
４２ｈ  ４２ｉ  ネジ留め座
４２ｊ  上面切り欠き部
４２ｋ  凹部
４２ｎ  嵌合部
４２ｐ  ネジ留め座（底面側支持座）
４３  上カバー
４４  側面カバー
４４ａ  側板部
４４ｂ  リブ
４４ｃ  ネジ螺合部
４４ｄ  ４４ｆ  ネジ留め座
４４ｅ  ６５  ネジ留め座（底面側締結部）
４４ｇ  ４４ｈ  嵌合部
４５  グリップカバー（追加カバー）
４６  固定アーム（延長締結部）
４６ａ  ネジ挿通穴
４７  コネクタカバー
５０  ネジ（カメラ本体部に対する前カバーの締結部）
５１  ネジ（カメラ本体部に対する後カバーの締結部）
５２  ５３  ５４  ５５  ５７  ５９  ネジ
５６  ネジ（前側締結ネジ）
５８  ６６  ネジ（底面側締結ネジ）
６０  リモコン受光部
６１  イルミネーションＬＥＤ（グリップ内の発光部）
６２  補助光発光部
６３  サブ基板
６４  ケーブルコネクタ
７０  イメージセンサ（撮像媒体）
【図１】
2016045477.tif 000003
【図２】
2016045477.tif 000004
【図３】
2016045477.tif 000005
【図４】
2016045477.tif 000006
【図５】
2016045477.tif 000007
【図６】
2016045477.tif 000008
【図７】
2016045477.tif 000009
【図８】
2016045477.tif 000010
【図９】
2016045477.tif 000011
【図１０】
2016045477.tif 000012